(57)【特許請求の範囲】
【請求項１】
前足部、中足部および後足部を有する靴底の中足部にシャンクピースを備えた靴底構造であって、
前記シャンクピースが、足のリスフラン関節の部分に交差する斜前端辺を有し、
前記斜前端辺は、ソールセンターラインと２０°〜７０°の角度を成すように、足の前方に行くに従い外側に向かうように傾いており、
前記斜前端辺を直線的に延長した延長線が小指の中足骨骨頭の小趾球から小指の趾骨の先端までの間を通るように、前記斜前端辺が配置されており、
このように前記斜前端辺が配置されていることにより、前記シャンクピースが、前記斜前端辺の若干前方において、前記斜前端辺に略平行なラインに沿って靴底の屈曲を許容すると共に助長するようにした靴底構造。
【請求項２】
請求項１の靴底構造において、
前記シャンクピースは前記斜前端辺を含む山型の山型辺を有し、前記山型辺が足の内側に向って凸となるように配置されている靴底構造。
【請求項３】
請求項１の靴底構造において、
前記シャンクピースが、足のショパール関節に交差する斜後端辺を有し、
該斜後端辺は足の後方に行くに従い外側に向かうように傾いており、
該斜後端辺が前記斜前端辺に連なって山型の山型辺が形成され、
このように山型辺が形成されていることにより、中足部の前後方向の略中央の点で、かつ、足の内側寄りの点を中心として略Ｘ字状のラインに沿った靴底の屈曲を許容するようにした靴底構造。
【請求項４】
請求項１、２もしくは３の靴底構造において、
前記シャンクピースが略Ｖ字状に形成されている靴底構造。
【請求項５】
請求項１ないし４のいずれか１項において、
前記前足部、中足部および後足部は、各々接地面を有し、
前記中足部の接地面は、概ね、前足部および後足部の接地面よりも下方に膨出しており、
前記接地面は、概ね、靴底の中央部分が内側部分および外側部分よりも下方に膨出している靴底構造。
【請求項６】
請求項１ないし４のいずれか１項において、
前記前足部、中足部および後足部は、各々接地面を有し、
前記中足部には、リスフラン関節およびショパール関節に対応する位置に、２本の横溝が形成されており、
これらの横溝の最深部は、靴底の他の凹溝よりも深く形成されている靴底構造。
【請求項７】
前足部、中足部および後足部に各々接地面を有すると共に、前記中足部にシャンクピースを有する靴底構造であって、
前記中足部の接地面は、概ね、前足部および後足部の接地面よりも下方に膨出していると共に、
前記接地面は、概ね、靴底の中央部分が内側部分および外側部分よりも下方に膨出していることで、楕円球の表面のような形状とされており、
前記中足部には、リスフラン関節およびショパール関節に対応する位置に、２本の横溝が形成されており、
前記横溝の最深部は、靴底の他の凹溝よりも深く形成されている靴底構造。
【請求項８】
請求項６もしくは７において、
前記各横溝の最深部の深さが8.0mm 以上に設定されている靴底構造。
【請求項９】
請求項６、７もしくは８において、
前記２本の横溝は、足の内側端の近傍において、内側端に近づくに従い互いに近づくように、それぞれ斜めに形成されている靴底構造。
【請求項１０】
請求項１および請求項７の靴底構造を備えた靴底構造。
【発明の詳細な説明】
【０００１】
【発明のバックグラウンド】
発明の分野：
本発明は靴底構造に関するものである。
【０００２】
従来の技術の説明：
足が自然な歩行を行うと、足の前足部に対し後足部が捩れる“あおり運動”を行う。かかる“あおり運動”について図６および図７を用いて説明する。
【０００３】
図６は足の骨格を示す平面図である。
図６において、Ｂ１およびＢ５はそれぞれ第１および第５中足骨、Ｂ１０は母趾球に対応する第１中足骨骨頭、Ｂ５０は小趾球に対応する第５中足骨骨頭、Ｂ５１は小指の趾骨、Ｊ１〜Ｊ５はそれぞれ第１〜第５中足趾節関節、Ｌｊはリスフラン関節、Ｓｊはショパール関節である。
【０００４】
図７（ａ）〜（ｆ）は“あおり運動”を行う足の動作を時系列的に示す背面図である。
足３は、図７（ａ）に示すように、踵の外側３０から着地し、図７（ｂ）のように足裏３５全体が着地し始める。その後、足３は図７（ｃ）の矢印Ａ１のように、後足部３２が内側に回転するかのように荷重中心が内側に移動する。その後、図６の中足趾節関節Ｊ１〜Ｊ５の屈曲により踵が浮き始めるが、その際、まず、第３〜第５中足趾節関節Ｊ３〜Ｊ５が最初に屈曲するため、図７（ｄ）の足の後足部３２が矢印Ａ２のように外側に回転して、足の外側の小趾球３３に荷重中心が移動する。その後、第１〜第２中足趾節関節Ｊ１，Ｊ２も屈曲し足が図７（ｅ）のように屈曲すると、矢印Ａ１のように足の後足部３２が内側に若干回転して、足の内側の母趾球３４に荷重が移動し、該母趾球３４を荷重中心として前足部３１を蹴り出すことで、図７（ｆ）のように足が宙に浮く。
【０００５】
ミッドソールを備えた運動靴は、歩行や走行時には踏まず部の変形が激しく、そのため使用者に疲労を与え易い。そこで、近年では、シャンクピースをミッドソールの下面に固着して、前記変形の防止を図っている。しかし、ミッドソールの下面に固着したシャンクは、一般に、前記“あおり運動”を阻害する。
【０００６】
一方、シャンクピースの一例として、ストリップ形状ないしワイヤ状のシャンクピースをミッドソールの底面側に設けることで、前足部に対し後足部を捩れ易くして、歩行時等に足が捩れながら屈曲する前記“あおり運動”を可能にした靴底構造が知られている（特開昭６３−１９４６０２号公報）。しかし、この構造では、前記“あおり運動”を行う際に、緩衝底の適切な変形方向を制御することはできず、したがって、前記“あおり運動”を助長（促進）することはできない。
【０００７】
また、前記“あおり運動”においては、足裏が図７（ａ）の踵の外側３０から着地し、ついで図７（ｂ）の足裏３５全体が着地する。
また、図７（ｃ）〜図７（ｅ）に示すように、足の後足部３２から足が宙に浮き、続いて、小趾球３３に荷重中心が移動する。このような、足の動きは連続的かつ滑らかに行われる。しかし、前記先行技術では、靴底の中足部に大きく抉れた踏まず部を形成しているので、足裏の滑らかで、かつ、連続的な動きが得られない。すなわち、足をスムースに回転させることができないから、前記“あおり運動”を助長することはできない。
【０００８】
【発明の概要】
したがって、本発明の目的は、足の“あおり運動”を助長し得る靴底構造を提供することである。
【０００９】
前記目的を達成するために、本第１発明の靴底構造は、まず、前足部、中足部および後足部を有する靴底の中足部にシャンクピースを備えている。
前記シャンクピースは、足のリスフラン関節の部分に交差する斜前端辺を有する。前記斜前端辺は、ソールセンターラインと２０°〜７０°の角度を成すように、足の前方に行くに従い外側に向かうように傾いている。前記斜前端辺を直線的に延長した延長線が小指の中足骨骨頭の小趾球から小指の趾骨の先端までの間を通るように、前記斜前端辺が配置されている。
このように前記斜前端辺が配置されていることにより、靴底は、前記斜前端辺の若干前方において、前記斜前端辺に略平行なラインに沿って靴底の屈曲を許容すると共に助長する。
【００１０】
本第１発明によれば、前述のように、斜前端辺を設定したので、硬いシャンクピースの当該斜前端辺により靴底が前記斜前端辺に略平行な前記ラインに沿って屈曲するから、“あおり運動”を助長し得る。
【００１１】
本第１発明において、シャンクピースは、たとえば、合成樹脂、ＦＲＰ（繊維強化プラスチック）または金属などで形成することができる。また、シャンクピースには、その曲げ強度を上げるために、リブを設けてもよい。
また、本第１発明において、「リスフラン関節の部分」とは、リスフラン関節自体ならびに互いに隣接するリスフラン関節の間の部分を含む部分をいう。
なお、本発明において、ソールセンターラインとは、第２指の先端と踵の後端とを結んだ線に相当する靴底表面上の線をいう。
【００１２】
一方、本第２発明の靴底構造は、まず、前足部、中足部および後足部に各々接地面を有すると共に、前記中足部にシャンクピースを有する。
前記中足部の接地面は、概ね、前足部および後足部の接地面よりも下方に膨出している。前記接地面は、概ね、靴底の中央部分が内側部分および外側部分よりも下方に膨出している。前記中足部には、リスフラン関節およびショパール関節に対応する位置に、２本の横溝が形成されている。これらの横溝の最深部は、靴底の他の凹溝よりも深く形成されている。
前記横溝の最深部の深さは、一般に、8.0mm 以上とするのが好ましい。
【００１３】
本第２発明によれば、前述のように、靴底の中足部の中央部分が膨出した形状にしたから、つまり、靴底の接地面を楕円球の表面のような形状にしたから、足裏が踵の外側から着地し、中足部から小趾球に荷重中心が移動する。更に、２本の横溝がリスフラン関節およびショパール関節に対応して設けられているので、靴底が屈曲し得る。したがって、“あおり運動”を助長し得る。
【００１４】
【実施例の説明】
本発明は、添付の図面を参考にした以下の好適な実施例の説明からより明瞭に理解されるであろう。しかしながら、実施例および図面は単なる図示および説明のためのものである。本発明の範囲は請求の範囲に基づいて定められる。添付図面において、複数の図面における同一の部品番号は、同一または相当部分を示す。
【００１５】
以下、本発明の一実施例を図面にしたがって説明する。
図１（ａ），（ｂ）に示すように、緩衝底２は前足部２０、中足部２１および後足部２２を備えている。前記中足部２１には、前足部２０から後足部２２にわたってシャンクピース１が設けられている。本実施例では、後足部２２に接地底４が固着されているが、緩衝底２は、いわゆるミッドソールの下面にアウターソールを接着して形成してもよい。
【００１６】
前記緩衝底２における足の内側６１および外側６０の略中央部には、装着凹所２３が設けてある。該装着凹所２３は、前記シャンクピース１に対応した形状を有しており、該装着凹所２３には前記シャンクピース１が上方から装着される。なお、緩衝底２の上面には、足からの荷重を支える硬い内底（insole）５が接着される。
【００１７】
前記シャンクピース１は略Ｖ字状に形成されている。このシャンクピース１は破線で示すリブ１４を有しており、たとえば合成樹脂で一体に形成されている。前記シャンクピース１は山型の山型辺１０を有しており、前記山型辺１０は斜前端辺１１と斜後端辺１２とが滑らかに連なって形成されている。すなわち、前記斜前端辺１１の後端から前記斜後端辺１２の前端までの間には、前記山型辺１０の頂部１３が形成されている。前記山型辺１０が足の内側６１に向って凸となるように、前記シャンクピース１が配置されている。
【００１８】
図２に示すように、前記斜前端辺１１は、リスフラン関節Ｌｊの部分と交差する。より詳しく説明すると、この場合、斜前端辺１１は互いに隣接する２つのリスフラン関節Ｌｊの間を通る。二点鎖線Ｌ１は斜前端辺１１を直線的に延長した延長線である。前記斜前端辺１１の延長線Ｌ１が小指の中足骨骨頭Ｂ５０の小趾球から小指の趾骨Ｂ５１の先端までの間を通るように、シャンクピース１が配置されている。前記斜前端辺１１は、足の前方Ｆに行くに従い外側６０に向かうように傾斜している。前記斜前端辺１１の延長線Ｌ１とソールセンターラインＣＬとがなす角θは、２０°〜７０°に設定する。
このように、斜前端辺１１が配置されていることにより、斜前端辺１１の若干前方Ｆにおいて、斜前端辺１１に略平行な第１屈曲ラインＸ１に沿った靴底の屈曲が許容されると共に助長される。
【００１９】
前記斜後端辺１２は、ショパール関節Ｓｊに交差する。前記斜後端辺１２は足の後方Ｒに行くに従い外側６０に向かうように傾いている。
このように、斜後端辺１２が配置されていることにより、斜後端辺１２の若干後方Ｒにおいて、斜後端辺１２に略平行な第２屈曲ラインＸ２に沿った靴底の屈曲が許容されると共に助長される。
【００２０】
すなわち、山型辺１０を持つシャンクピース１は、点Ｏを中心として略Ｘ字状のラインＸ１，Ｘ２に沿った靴底の屈曲を許容すると共に助長する。なお、点Ｏは第１屈曲ラインＸ１と第２屈曲ラインＸ２との交点である。また、前記点Ｏは、中足部２１の前後方向の略中央の位置で、かつ、足の内側６１寄りの位置に設定される。
なお、図２では角θが４５°程度に図示してあるが、角θを小さな値に設定する場合には、点Ｏの位置を中央寄りに設定し、一方、角θを大きな値に設定する場合には、点Ｏの位置を内側６１寄りに設定する。
【００２１】
図３（ａ）は靴底の底面図である。
図３（ｂ−ｄ）に示すように、靴底の接地面は、概ね、靴底の中央部分２６が内側部分２７および外側部分２８よりも下方に膨出している。また、図１（ｂ）に示すように、中足部２１の接地面２１ａは、概ね、前足部２０および後足部２２の接地面２０ａ，２２ａよりも下方に膨出している。
【００２２】
図３に示すように、緩衝底２における前足部２０と後足部２２との間には、つまり、中足部２１には、接地面から足裏に向って入り込んだ一対の横溝２４，２４が形成されている。これらの横溝２４は、図２のリスフラン関節Ｌｊおよびショパール関節Ｓｊに対応する位置に配置されている。
【００２３】
緩衝底２には前記横溝とは別の数本の凹溝２５が設けてある。前記横溝２４は凹溝２５よりも幅広で、かつ、深く形成されている。図１（ｂ）に示す前記横溝２４の最深部２４ｄの深さは、たとえば8.0mm 以上に設定するのが好ましく、靴底の他の凹溝２５の最深部よりも深く形成されている。このように、前記一対の横溝２４が幅広で深く形成されていることにより、後足部２２が前足部２０に対して図２のソールセンターラインＣＬのまわりに捩れ易くなっている。
【００２４】
図３に示すように、前記一対の横溝２４は、足の内側６１の端部において、内側端に近づくに従い互いに近づくように、それぞれ、斜めに形成されている。これにより、前記図２のＸ字形のラインＸ１，Ｘ２に沿った靴底の屈曲を容易にしている。
【００２５】
つぎに、歩行ないし走行時における前記靴底の挙動について説明する。図７（ａ−ｂ）のように、足３が踵の外側３０から足裏３５全体が着地する際には、図１および図３（ｂ−ｄ）のように、接地面が楕円球の表面のような形状であるから、荷重の前方への移動がスムースになる。
さらに、図７（ｂ−ｃ）の矢印Ａ１のように、足の後足部３２が内側へ回転するかのように荷重中心が内側に移動する際にも、図３（ｂ−ｄ）のように、中央部分２６が内側部分２７および外側部分２８よりも下方に膨出しているので、荷重の移動をスムースに行うことができる。
【００２６】
続いて、図７（ｄ）の矢印Ａ２のように、足の後足部３２が外側に回転する際には、図２の第２屈曲ラインＸ２に沿って靴底が屈曲する。この際、シャンクピース１の斜後端辺１２は、当該ラインＸ２における靴底の屈曲を許容すると共に助長する。
【００２７】
その後、図7(d −ｅ）のように、足裏が屈曲して荷重中心が前方に移動する。この際には、シャンクピース１が土踏まずの屈曲を防止すると共に、中足趾節関節Ｊ１〜Ｊ５の屈曲を許容する。また、図１（ｂ）の中足部２１の接地面２１ａが前足部２０の接地面２０ａよりも滑らかに下方に膨出していてるので、荷重の前方への移動をスムースに行うことができる。
【００２８】
続いて、図７（ｅ）の矢印Ａ１のように、足が内側に若干回転して、図２の第１〜第２中足趾節関節Ｊ１，Ｊ２が大きく屈曲して、第１屈曲ラインＸ１に沿って靴底が大きく屈曲する。この際には、シャンクピース１の斜前端辺１１は、当該ラインＸ１における靴底の屈曲を許容すると共に助長する。また、図３の中央部分２６が外側部分２８よりも下方に膨出しているので、前記屈曲に伴う荷重の移動をスムースに行うことができる。
なお、その後、母趾球３４を荷重中心として足の前足部３１を蹴り出すことで、図７（ｆ）のように足が宙に浮く。
【００２９】
このように、本実施例では、Ｖ字状のシャンクピース１と、楕円球状の接地面とを備えているので、足の“あおり運動”を許容すると共に助長する。
【００３０】
図４（ａ），（ｂ）は第２実施例を示す。
この実施例では、靴底がいわゆるミッドソール２Ａとアウターソール４Ａとを備えている。本実施例では、一対の横溝２４がアウターソール４Ａからミッドソール２Ａにまで形成されている。また、シャンクピース１は、横溝２４において下方に向って露出している。前記ミッドソール２Ａの上には、たとえば、布からなるアッパー（図示せず）が接着されている。
本第２実施例におけるその他の構造は、前記第１実施例と同様であり、同一部分または相当部分に同一符号を付して、その説明を省略する。
【００３１】
以上のとおり、図面を参照しながら好適な実施例を説明したが、当業者であれば、本明細書を見て、自明な範囲で種々の変更および修正を容易に想定するであろう。
たとえば、シャンクピース１の平面形状は、図５（ａ）のように三角形状としてもよい。但し、前記のようにＶ字状に形成してリブ１４を設ける方が、シャンクピース１の軽量化と強度向上を図ることができる。
また、シャンクピース１の平面形状は、図５（ｂ）のように、斜前端辺１１を延ばして突出部１５を設けて、Ｔ字に近似した形状としてもよい。
また、シャンクピース１の平面形状は、図５（ｃ）のように、斜後端辺１２を設けずに、後方Ｂに向って延びる後部１６を設けてもよい。
さらに、靴底の接地面には、前記横溝や凹溝以外に、滑り止め用の凹部や突起を設けてもよい。
したがって、そのような変更および修正は、請求の範囲から定まる本発明の範囲内のものと解釈される。
【００３２】
【発明の効果】
以上説明したように、本第１発明によれば、リスフラン関節の部分と交差する斜前端辺を有するシャンクピースによって靴底の屈曲ラインを規制するから、足の“あおり運動”に則した靴底の屈曲ラインを得ることができる。したがって、足の“あおり運動”を助けることができる。
【００３３】
また、シャンクピースに山型辺を形成すれば、前記“あおり運動”を更に助長することができる。
【００３４】
さらに、シャンクピースを略Ｖ字状に形成することにより、シャンクピースの軽量化を図ることができる。
【００３５】
一方、本第２発明によれば、２本の横溝がリスフラン関節およびショパール関節に対応する位置に設けられているので、中足部が厚肉の靴底の屈曲が可能となって、足の“あおり運動”が可能となると共に、靴底の接地面が楕円球のように中足部の中央が膨出しているから、足の“あおり運動”を助けることができる。
【図面の簡単な説明】
【図１】図１（ａ）は本発明の第１実施例を示す緩衝底およびシャンクピースの平面図、図１（ｂ）は図３（ａ）の Iｂ− Iｂ線における緩衝底の断面とシャンクピースおよび内底の側面を分解して示す図である。
【図２】図２はシャンクピースの配置と足の骨格との関係を示す平面図である。
【図３】図３（ａ）は靴底の底面図、（ｂ）は図３（ａ）の IIIｂ− IIIｂ線断面図、（ｃ）は同 IIIｃ− IIIｃ線断面図、（ｄ）は同 IIIｄ− IIIｄ線断面図である。
【図４】図４（ａ）は靴底の側面図、図４（ｂ）は靴底の底面図である。
【図５】図５（ａ），（ｂ）および（ｃ）は、ぞれぞれ、シャンクピースの変形例を示す平面図である。
【図６】図６は足の骨格を示す平面図である。
【図７】図７（ａ），（ｂ），（ｃ），（ｄ），（ｅ）および（ｆ）は、足の“あおり運動”を示す足の背面図である。
【符号の説明】
１：シャンクピース
１０：山型辺
１１：斜前端辺
１２：斜後端辺
２０：前足部
２０ａ，２１ａ，２２ａ：接地面
２１：中足部
２２：後足部
２４ｄ：最深部
２６：中央部分
２７：内側部分
２８：外側部分
Ｂ５０：中足骨骨頭
Ｂ５１：趾骨
ＣＬ：ソールセンターライン
Ｌｊ：リスフラン関節
Ｓｊ：ショパール関節
Ｘ１：第１屈曲ライン
Ｘ２：第２屈曲ライン
【図１】
0003650559.tif 000002
【図２】
0003650559.tif 000003
【図３】
0003650559.tif 000004
【図４】
0003650559.tif 000005
【図５】
0003650559.tif 000006
【図６】
0003650559.tif 000007
【図７】
0003650559.tif 000008